(57)【要約】【課題】任意の形状及び寸法の外形を有しながら、収納したディスク状媒体をガタつきなく確実に収納できる紙製のケースを、材料の歩留まりを低下させずに、低い製造コストで提供する。【解決手段】ディスク状媒体を収納する紙製のケース２であって、略四辺形の第１の面部８を有し、第１の面部８の２組の対向する２辺（８ａ／８ｂ及び８ｃ／８ｄ）のうち少なくとも一方の対向する２辺８ａ／８ｂに少なくとも1回折り返された折り返し部分１２が接続されている第1の紙部材４と、折り返し部分１２を介して第1の紙部材４が接合され、第１の面部８と対向する第２の面部１０を有する第２の紙部材６と、を備え、第１の面部８と、第２の面部１０と、両側の折り返し部分１２とによって四方を囲まれたディスク状媒体の収納空間２０が形成され、折り返し部分１２の間の距離が、ディスク状媒体の外形に応じて定められるディスク状媒体のケース２を提供する。【選択図】図１
2010202240.tif 000002
【特許請求の範囲】
【請求項１】
ディスク状媒体を収納する紙製のケースであって、
略四辺形の第１の面部を有し、前記第１の面部の２組の対向する２辺のうち少なくとも一方の対向する２辺に少なくとも1回折り返された折り返し部分が接続されている第1の紙部材と、
前記折り返し部分を介して前記第1の紙部材が接合され、前記第１の面部と対向する第２の面部を有する第２の紙部材と、
を備え、
前記第１の面部と、前記第２の面部と、前記両側の折り返し部分とによって四方を囲まれた前記ディスク状媒体の収納空間が形成され、
前記折り返し部分の間の距離が、前記ディスク状媒体の外形に応じて定められることを特徴とするディスク状媒体のケース。
【請求項２】
前記第１の面部の他方の対向する２辺のうち少なくとも一方の辺に折り返し部分が設けられておらず、前記ディスク状媒体を出し入れするための開口部となっていることを特徴とする請求項１に記載のディスク状媒体のケース。
【請求項３】
前記ディスク状媒体の厚み寸法及び前記第１の紙部材の厚み寸法に応じて、前記折り返し部分の折り返し数が定められることを特徴とする請求項１または２に記載のディスク状媒体のケース。
【請求項４】
前記第２の紙部材の形状及び寸法が、前記ディスク状媒体の外形に関わらず任意に定められることを特徴とする請求項１から３の何れか１項に記載のディスク状媒体のケース。
【請求項５】
前記第２の面部に折曲部を介して所定の幅のフラップが接続され、前記フラップによって、前記収納空間に収納された前記ディスク状媒体が前記開口部と反対の方向に移動するのを拘束することを特徴とする請求項１から４の何れか1項に記載のディスク状媒体のケース。
【請求項６】
前記第１の面部の他方の対向する２辺のうち前記開口部と反対側の辺に少なくとも1回折り返された折り返し部分が接続され、該折り返し部分によって、前記収納空間に収納された前記ディスク状媒体が前記開口部と反対の方向に移動するのを拘束することを特徴とする請求項１から４の何れか1項に記載のディスク状媒体のケース。
【請求項７】
前記第１の面部と隣接する前記折り返し部分の面部とが貼り付けられ、前記折り返し部分の隣接する面部どうしが貼り合わされ、前記折り返し部分の最も端部に位置する面部と前記第２の面部とが貼り合わされることにより、前記第１の紙部材が前記第２の紙部材に接合されることを特徴とする請求項１から６の何れか1項に記載のディスク状媒体のケース。
【請求項８】
１つの前記第２の紙部材に、複数の前記第1の紙部材が接合されることを特徴とする請求項１から７の何れか1項に記載のディスク状媒体のケース。
【請求項９】
前記第1の紙部材と前記第２の紙部材とが、ともに高級白板紙からなることを特徴とする請求項１から８の何れか1項に記載のディスク状媒体のケース。
【発明の詳細な説明】
【技術分野】
【０００１】
本発明は、ＣＤ（コンパクトディスク）、ＤＶＤ（デジタル ヴァーサタイル ディスク）、ＢＤ（ブルーレイディスク）、レコード盤を始めとするディスク状の記録媒体（ディスク状媒体）を収納するケースに関し、特に、紙製のケースに関する。
【背景技術】
【０００２】
従来から音楽を記録する媒体としてレコード盤が普及し、近年においては、音楽、画像等を記録する媒体として、ＣＤやＤＶＤが普及しており、更に記憶容量の大きいＢＤも普及し始めている。このようなディスク状の記録媒体は、紙、樹脂等から作られたケースに収納されて販売される場合が多い。
このようなディスク状媒体のケースの中でも、材料費が安く、印刷や加工も容易で軽量なため、紙製のケースが広く用いられている。
【０００３】
紙製のケースでは、多くの場合、1枚の台紙を折り返して、折り返された台紙と台紙との間にディスク状媒体を収納している。よって、この収納空間内でディスク状媒体がガタつかないようにするには、ケースの外形を、ディスク状媒体の外形に合わせた形状及び大きさにする必要がある。一方、例えば書籍等の外形に合わせるため、ケースの外形をディスク状媒体の外形よりもかなり大きくした場合には、収納空間の内部の寸法が、ディスク状媒体の外形に比べてかなり大きくなるので、収納空間内でディスク状媒体がガタつく問題が生じる。また、１枚の台紙から形成するので、無駄な切り代や、無駄な折り曲げ代が生じて、材料の歩留まりが低下する恐れもある。
そこで、このような問題に対処するため、封筒形の長方形の収納空間を有する輸送用ＣＤケースにおいて、ディスク状媒体のガタつきを抑える手段を有するケースが提案されている（例えば、特許文献１参照）。
【先行技術文献】
【特許文献】
【０００４】
【特許文献１】特開平１１−５９７６２号
【発明の概要】
【発明が解決しようとする課題】
【０００５】
特許文献１に記載されたＣＤケースでは、台紙をＣＤ側に折り曲げた係止部によって、ＣＤが長方形の収納空間の長手方向に動くのを拘束するようになっている。しかし、この係止部は、単に台紙を折り曲げただけのものであり、ある程度の外力が加わった場合には、係止が外れて、ＣＤが収納空間内部でガタつく恐れがある。
【０００６】
従って、本発明の目的は、上述の問題を解決して、任意の形状及び寸法の外形を有しながら、ディスク状媒体のガタつきを確実に抑えて収納できる紙製のケースを、材料の歩留まりを低下させずに、低い製造コストで提供することにある。
【課題を解決するための手段】
【０００７】
上述の課題を解決するため、本発明のディスク状媒体のケースの1つの実施態様は、ディスク状媒体を収納する紙製のケースであって、略四辺形の第１の面部を有し、前記第１の面部の２組の対向する２辺のうち少なくとも一方の対向する２辺に少なくとも1回折り返された折り返し部分が接続されている第1の紙部材と、前記折り返し部分を介して前記第1の紙部材が接合され、前記第１の面部と対向する第２の面部を有する第２の紙部材と、を備え、前記第１の面部と、前記第２の面部と、前記両側の折り返し部分とによって四方を囲まれた前記ディスク状媒体の収納空間が形成され、前記折り返し部分の間の距離が、前記ディスク状媒体の外形に応じて定められることを特徴とする。
【０００８】
ここで、「略四辺形」には、長方形、正方形、台形、平行四辺形を含むあらゆる四辺形が含まれ、一部に面取り部分や曲線部分等が含まれる場合も、「略四辺形」に含まれる。
本実施態様によれば、ディスク状媒体のケースが、２つの紙部材（第１の紙部材及び第２の紙部材）から構成され、ディスク状媒体の外形に応じた収納空間の大きさは、第１の紙部材で画定することができ、ケースの外形を画定する第２の紙部材は、その外形をディスク状媒体の外形に関わらず、任意に定めることができる。また、第１の紙部材及び第２の紙部材を形成するための台紙は、その用途に応じて、予め最適な大きさ、形状に裁断できるので、１枚の台紙を折り曲げる場合に比べて、無駄な切り代や、無駄な折り曲げ代が生じず、材料の歩留まりを向上させることができる。
【０００９】
以上のように、本実施態様によれば、任意の形状及び寸法の外形を有しながら、収納したディスク状媒体をガタつきなく確実に収納できる紙製のケースを、材料の歩留まりを低下させずに、低い製造コストで提供することができる。
【００１０】
本発明のディスク状媒体のケースのその他の実施態様は、前記第１の面部の他方の対向する２辺のうち少なくとも一方の辺に折り返し部分が設けられておらず、前記ディスク状媒体を出し入れするための開口部となっていることを特徴とする。
【００１１】
本実施態様によれば、収納空間内でディスク状媒体がガタつくことを確実に防止することが可能なことに加え、開口部を通して、ディスク媒体を容易に確実に出し入れすることができる。
【００１２】
本発明のディスク状媒体のケースのその他の実施態様は、前記ディスク状媒体の厚み寸法及び前記第１の紙部材の厚み寸法に応じて、前記折り返し部分の折り返し数が定められることを特徴とする。
【００１３】
本実施態様によれば、ディスク状媒体の厚み寸法及び第１の紙部材の厚み寸法に応じて、最適な折り返し数を定めることにより、ディスク状媒体の出し入れが容易であり、かつガタつきなく収納可能な収納空間を有するケースを提供できる。
【００１４】
本発明のディスク状媒体のケースのその他の実施態様は、前記第２の紙部材の形状及び寸法が、前記ディスク状媒体の外形に関わらず任意に定められることを特徴とする。
【００１５】
本実施態様によれば、収納したディスク状媒体をガタつきなく確実に収納できるケースでありながら、その形状及び寸法において自由度の高いケースを提供できる。
【００１６】
本発明のディスク状媒体のケースのその他の実施態様は、前記第２の面部に折曲部を介して所定の幅のフラップが接続され、前記フラップによって、前記収納空間に収納された前記ディスク状媒体が前記開口部と反対の方向に移動するのを拘束することを特徴とする。
【００１７】
本実施態様によれば、第２の紙部材に設けられたフラップによって、収納されたディスク状媒体を拘束して、確実に収納空間内に保持することができる。
【００１８】
本発明のディスク状媒体のケースのその他の実施態様は、前記第１の面部の他方の対向する２辺のうち前記開口部と反対側の辺に少なくとも1回折り返された折り返し部分が接続され、該折り返し部分によって、前記収納空間に収納された前記ディスク状媒体が前記開口部と反対の方向に移動するのを拘束することを特徴とする。
【００１９】
本実施態様によれば、第１の紙部材に設けられた更なる折り返し部分によって、収納されたディスク状媒体を拘束して、確実に収納空間内に保持することができる。
【００２０】
本発明のディスク状媒体のケースのその他の実施態様は、前記第１の面部と隣接する前記折り返し部分の面部とが貼り付けられ、前記折り返し部分の隣接する面部どうしが貼り合わされ、前記折り返し部分の最も端部に位置する面部と前記第２の面部とが貼り合わされることにより、前記第１の紙部材が前記第２の紙部材に接合されることを特徴とする。
【００２１】
本実施態様によれば、折り返し部分が各層ごとに貼り合わせられた堅固な構造を有し、この折り返し部分を介して、第１の紙部材と第２の紙部材とが堅固に接合されるの、収納されたディスク状媒体を確実に係止し収納することができる。
【００２２】
本発明のディスク状媒体のケースのその他の実施態様は、１つの前記第２の紙部材に、複数の前記第1の紙部材が接合されることを特徴とする。
【００２３】
本実施態様によれば、１つの第２の紙部材に、複数の第1の紙部材を接合することができるので、任意の数のディスク状媒体を収納可能なケースを提供することができる。
【００２４】
本発明のディスク状媒体のケースのその他の実施態様は、前記第1の紙部材と前記第２の紙部材とが、ともに高級白板紙からなることを特徴とする。
【００２５】
本実施態様によれば、ケースを高級白板紙で構成することにより、平滑性、光沢感、印刷再現性、発色等の良好なケースを提供でき、全体として意匠性、装飾性に優れたケースを提供することができる。
【発明の効果】
【００２６】
以上のように、本発明のディスク状媒体のケースにおいては、任意の形状及び寸法の外形を有しながら、ディスク状媒体のガタつきを確実に抑えて収納できる紙製のケースを、材料の歩留まりを低下させずに、低い製造コストで提供することができる。
【図面の簡単な説明】
【００２７】
【図１】本発明に係るディスク状媒体のケースの第１の実施形態を示す斜視図及び部分側面図である。
【図２】本発明に係るディスク状媒体のケースの第２の実施形態を示す斜視図及び部分側面図である。
【図３】本発明に係るディスク状媒体のケースの第２の実施形態を示す斜視図である。
【図４】本発明に係るディスク状媒体のケースの第３の実施形態を書籍に適用した場合の実施例を示す斜視図である。
【発明を実施するための形態】
【００２８】
次に、図面を参照しながら、本発明に係るディスク状媒体のケースの実施形態を詳細に説明する。
（本発明に係るディスク状媒体のケースの第１の実施形態の説明）
始めに、図１を用いて、本発明に係るディスク状媒体のケースの第１の実施形態の説明を行なう。ここで、図１（ａ）は、ディスク状媒体のケースの全体構造を示す斜視図であり、図１（ｂ）は、図１（ａ）の矢印Ａ−Ａから見た部分側面図であり、図１（ｃ）は、第１の紙部材を第２の紙部材に接合するところを模式的に示した部分側面図である。
【００２９】
本実施形態のケース２は、ディスク状媒体（図示せず）を収納する紙製のケースであって、ケース２は、第１の紙部材４と第２の紙部材６とが接合されて構成されている。第１の紙部材４は、略四辺形（本実施形態では長方形）の第１の面部８を有し、第１の面部８の２組の対向する２辺（８ａ／８ｂ及び８ｃ／８ｄ）のうち少なくとも一方の対向する２辺８ａ／８ｂに２回折り返された折り返し部分１２が接続されている。また、第２の紙部材６には、折り返し部分１２を介して第1の紙部材４が接合され、第１の面部８と対向する第２の面部１０を有する。
これにより、第１の紙部材４の第１の面部８及び両側の折り返し部分１２と、第２の紙部材６の第２の面部１０と、によって四方を囲まれたディスク状媒体の収納空間２０が形成されている。
【００３０】
第1の紙部材４を第２の紙部材６に接合する方法を更に詳細に述べれば、図１（ｃ）に示すように、第１の紙部材４を構成する台紙の展開状態において、第１の面部８と隣接する折り返し部分１２の面部１２ａとが貼り合わされ、折り返し部分１２の隣接する面部１２ｂと面部１２ｃとが貼り合わされ、折り返し部分１２の最も端部に位置する面１２ｄ部と第２の紙部材６の第２の面部１０とが貼り合わされることにより、両紙部材４、６が互いに接合される。
これにより、折り返し部分１２は、各層ごとに貼り合わせられた堅固な構造を有し、この折り返し部分１２を介して第１の紙部材４と第２の紙部材６とが堅固に接合されるので、収納されたディスク状媒体を確実に係止して収納することができる。
【００３１】
また、第1の紙部材４の第１の面部８の他方の対向する２辺８ｃ／８ｄのうち、一方の辺８ｃには折り返し部分が接続されておらず、ディスク状媒体を出し入れするための開口部３０を形成している。この開口部３０を通して、容易に確実に、ディスク媒体を収納空間２０内に収め、収納空間２０から取り出すことができる。
【００３２】
本実施形態では、開口部３０が設けられた辺８ｃと反対側の辺８ｄにも、折り返し部分は接続されていない。一方、第２の紙部材６の第２の面部１０には、折曲部２６を介して、ディスク状媒体の厚み寸法に対応した所定の幅のフラップ１４が接続され、更に、折曲部２８を介して、第３の面部１６が接続されている。
このフラップ１４によって、収納空間２０内に収納されたディスク状媒体が、開口部３０と反対の方向に移動するのを拘束することができる。つまり、第１の紙部材４の第１の面部８及び両側の折り返し部分１２と、第２の紙部材６の第２の面部１０と、フラップ１４とによって、収納空間２０に収納されたディスク状媒体は、開口部３０を除く方向へ動くことが拘束される。これにより、ディスク状媒体を確実に収納空間２０内に保持することができる。
【００３３】
ここで、両側の折り返し部分１２の間の距離は、ディスク状媒体の外形に応じて定めることができる。更に詳細に述べれば、両側の折り返し部分１２の間の距離は、収納するディスク状媒体の外径寸法より若干（例えば、１〜５ｍｍ）広くとられており、収納空間内２０内でのディスク状媒体のガタつきを防止しながら、開口部３０を介して、容易にディスク状媒体を出し入れできるようにしている。なお、折り返し部分１２とディスク状媒体の外形との間の間隔は、その用途に応じて任意に定めることができる。例えば、ディスク状媒体が袋に入って状態で収納される場合には、袋の外形を考慮して、折り返し部分１２の間の距離を定めることが好ましい。
【００３４】
また、第１の紙部材４の第１の面部８の対向する２辺８ａ／８ｂの長さも、同様に、収納するディスク状媒体の外径寸法より若干長く（例えば、５〜１０ｍｍ）なっており、収納空間内２０内でのディスク状媒体のガタつきを防止しながら、開口部３０を介して、容易にディスク状媒体を出し入れできるようにしている。よって、本実施形態の第１の紙部材４の第１の面部８は、略長方形または略正方形の形状を有している。ただし、第１の面部８の形状はこれに限られるものではなく、例えば、第１の面部８の開口側の辺８ｃが底部側の辺８ｄよりも若干長くなった台形の形状を有する場合も考えられる。この場合には、収納空間２０を、開口部３０側が広がったように形成することができるので、ディスク状媒体の出し入れをより容易にすることができる。
更に、本実施形態では、第１の紙部材４の第１の面部８の辺８ｃに、切り欠き部２４が設けられている。これにより、使用者は切り欠き部２４に指を差し入れて、より容易にディスク状媒体を出し入れすることができる。
【００３５】
本実施形態では、折り返し部分１２で２回折り返されているが、折り返す回数は、ディスク状媒体の厚み寸法及び第１の紙部材４の厚み寸法に応じて、最適な数を定めることができる。例えば、図２に示すように、１回折り返すこともできるし、３回以上折り返すこともできる。これにより、ディスク状媒体の出し入れが容易であり、かつガタつきなく収納可能なディスク状媒体のケース２を提供できる。
また、仮に、ディスク状媒体の厚み寸法と収納空間２０の高さ寸法（厚み方向の寸法）が近接するように折り返し数を設定した場合には、第１の面部８とディスク状媒体との間の摩擦力、及び第２の面部１０とディスク状媒体との間の摩擦力によって、ディスク状媒体を拘束することができるので、ディスク状媒体の外形と折り返し部分１２との間のクリアランスを比較的大きめにとることができる。
【００３６】
本実施形態では、第１の紙部材４及び第２の紙部材２の材料として、例えば、古紙が含まれていないパルプ１００％の高級白板紙を用いることができる。この場合には、平滑性、光沢感が高く、印刷再現性、発色ともに良好なので、全体として意匠性、装飾性に優れたケース２を提供することができる。ただし、これに限られるものではなく、用途やデザインに応じて、更に安価な特板カードやコートボール紙等を用いることもできる。
【００３７】
本実施形態において特筆すべきことは、第２の紙部材６の形状及び寸法を、ディスク状媒体の外形に関わらず、任意に定めることができることである。
従来の紙製のケースでは、多くの場合、1枚の台紙を折り返して、折り返された台紙と台紙との間にディスク状媒体を収納するようにしている。この場合には、収納空間内でディスク状媒体がガタつかないようにするためには、ケースの形状及び大きさを、ディスク状媒体の外形に合わせる必要がある。もし、ケースの外形をディスク状媒体の大きさよりもかなり大きくした場合には、収納空間の内部の寸法が、ディスク状媒体の外形に比べてかなり大きくなるので、収納空間内でディスク状媒体がガタつく問題が生じる。
【００３８】
ここで、上記の1枚の台紙を用いてディスク状媒体のケースを構成する場合において、折り返し部分を用いて、ディスク状媒体を収納する空間を狭めることが考えられる。しかし、ケースの外形寸法が、収納するディスク状媒体の外径寸法に対してかなり大きい場合には、非常に長い折り返し部分を要するので、非常に大きな台紙を準備する必要があり現実的ではない。また、折り返し部分を得るため、台紙のかなり大きな領域を切り落とす必要があるので、材料の歩留まりも低下する。また、複数層からなる長い折り返し部分によって、ケースの重量が増す問題も生じる。
【００３９】
一方、本実施形態では、第１の紙部材４及び第２の紙部材６という２つの別個の紙材料を用いており、第１の紙部材４によって、ディスク状媒体に応じた最適な大きさの収納空間２０を形成することができ、ケース２全体の大きさを画定する第２の紙部材６は、ディスク状媒体の外形に関わらず、所望の形状及び寸法を採用できる。また、第１の紙部材４及び第２の紙部材６を形成するための台紙は、その用途に応じて、予め最適な大きさ、形状に裁断できるので、１枚の台紙を折り曲げる場合に比べて、無駄な切り代や、無駄な折り曲げ代が生じず、材料の歩留まりを向上することができる。
これにより、任意の形状及び寸法の外形を有しながら、ディスク状媒体のガタつきを確実に抑えて収納できる紙製のケースを、材料の歩留まりを低下させずに、低い製造コストで提供することができる。
【００４０】
（本発明に係るディスク状媒体のケースの第２の実施形態の説明）
次に、図２を用いて、本発明に係るディスク状媒体のケースの第２の実施形態の説明を行なう。ここで、図２（ａ）は、ディスク状媒体のケースの全体構造を示す斜視図であり、図２（ｂ）は、図２（ａ）の矢印Ｂ−Ｂから見た部分側面図であり、図２（ｃ）は、第１の紙部材を第２の紙部材に接合するところを模式的に示した部分側面図である。
【００４１】
本実施形態の説明においては、第１の実施形態と異なる点のみを説明し、第１の実施形態と基本的に同一な点については説明を省略する。
図１に示す第１の実施形態においては、第２の紙部材６に１つの第１の紙部材４が接合されているが、本実施形態では、図２（ａ）に示すように、第２の紙部材６に２つの第１の紙部材４、４’が接合されている点で異なる。つまり、第１の実施形態においては、第３の面部１６に収納空間が形成されていないが、第２の実施形態では、第３の面部１６にも第１の紙部材４’が接合されて、収納空間２０’が形成されている。
【００４２】
更に、第１の実施形態においては、第１の紙部材４に２回折り返された折り返し部分１２が形成されているが、第２の実施形態においては、第１の紙部材４に１回折り返された折り返し部分１２、１２’が形成されている点で異なる。
なお、本実施形態では、第２の紙部材６に２つの第１の紙部材４、４’が接合されているが、これに限られるものではなく、１つの第２の紙部材に、任意の数の第1の紙部材を接合することができ、これによって、任意の数のディスク状媒体を収納可能なケースを提供することができる。
その他の点については、本実施形態は第１の実施形態と基本的に同一であるので、更に詳な説明を省略する。
【００４３】
（本発明に係るディスク状媒体のケースの第３の実施形態の説明）
次に、図３を用いて、本発明に係るディスク状媒体のケースの第３の実施形態の説明を行なう。ここで、図３（ａ）は、ディスク状媒体のケースの全体構造を示す斜視図であり、図３（ｂ）は、第１の紙部材の台紙の展開状態を示した斜視図である。
【００４４】
第３の実施形態の説明においては、第１の実施形態と異なる点のみを説明し、第１の実施形態と基本的に同一な点については説明を省略する。
図１に示す第１の実施形態においては、第２の紙部材６の第２の面部１０に接続されたフラップ１４によって、収納空間２０に収納されたディスク状媒体を係止しているが、第３の実施形態においては、第１の紙部材４の第１の面部８において、開口部３０が設けられた辺８ｃと反対側の辺８ｄに、２回折り返された折り返し部分２２が接続されており（図３（ｂ）参照）、この折り返し部分２２によって、収納空間に収納されたディスク状媒体を係止する点で異なる。これにより、第２の紙部材６に設けられたフラップ１４を用いることなく、第１の紙部材４自体で、収納空間２０の開口部３０と反対側の底面を形成することができる。この第１の紙部材４に設けられた更なる折り返し部分２２によって、収納されたディスク状媒体を拘束して、確実に収納空間２０内に保持することができる。
なお、図３では、第２の紙部材６に、フラップや第３の面部が接続されていないが、第１、２の実施形態と同様に、第２の紙部材６にフラップや第３の面部を設けることも可能であり、その他の任意の形状を採用することができる。
【００４５】
このような更なる折り返し部分を有する構造を採用することによって、ディスク状媒体の収納空間２０の設置場所の自由度を増すことができる。例えば、図４に示すように、ディスク状媒体の厚み寸法さえ確保できれば、通常の書籍の裏表紙等に、第１の紙部材４を貼り付けるだけで、そこにディスク状媒体の収納空間２０を形成することができる。この場合には、書籍の裏表紙を第２の紙部材６として用いることになる。その他、書籍の表紙、脊表紙、各頁等にも、第１の紙部材４を貼り付けて、ディスク状媒体の収納空間２０を形成することもできる。
【００４６】
（本発明に係るディスク状媒体のケースのその他の実施形態の説明）
本発明に係るディスク状媒体のケースのその他の実施形態は、上記の実施形態に限られるものではなく、その他の任意の形態が本発明に含まれる。
【符号の説明】
【００４７】
２    ケース
４    第1の紙部材
６    第２の紙部材
８    第１の面部
１０  第２の面部
１２  折り返し部分
１４  フラップ
１６  第３の面部
２０  収納部
２２  折り返し部分
２４  切り欠き部
２６  折曲部
２８  折曲部
３０  開口部
【図１】
2010202240.tif 000003
【図２】
2010202240.tif 000004
【図３】
2010202240.tif 000005
【図４】
2010202240.tif 000006